(57)【要約】本発明は、同期式移動通信網と非同期式移動通信網において、データ呼の円滑なハンドオーバが可能なデュアルバンド／デュアルモードを支援する移動通信端末の制御方法およびデータ呼ハンドオーバ方法に関し、移動通信端末でデータ呼接続イベントが発生すれば、移動通信端末が非同期移動通信網を介してモバイルＩＰを登録し、データ呼サービスを受け、前記移動通信端末が非同期移動通信網と同期移動通信網との境界地域に進入するかを判断して、移動通信端末が境界地域に進入すると判断すれば、非同期移動通信網の信号の強さにより同期移動通信網へのハンドオーバを判断し、ハンドオーバを行うと判断すれば、移動通信端末と同期移動通信網との間のデータ呼を設定してモバイルＩＰを登録して、非同期移動通信網からサービスされたデータ呼を同期移動通信網にサービスを連係した後、移動通信端末と非同期移動通信網とのデータ呼を解除することによって、同期および非同期移動通信網間のハンドオーバ時のデータ損失を防止して、同期式移動通信網と非同期式移動通信網でデータ呼の切断のない円滑なハンドオーバが可能であるという効果がある。
2008527778.tif 000002
【特許請求の範囲】
【請求項１】
非同期移動通信網および同期移動通信網との電波送受信のためのアンテナと、前記アンテナを介して前記非同期移動通信網と非同期通信を行うための非同期無線装置と、前記アンテナを介して前記同期移動通信網と同期通信を行うための同期無線装置とを備えて、非同期移動通信網と同期移動通信網との無線通信を行える移動通信端末の制御方法であって、
データ呼接続命令が入力されれば、前記非同期無線装置の無線送受信部を活性化する第１ステップと、
前記活性化した非同期無線装置の無線送受信部を介して非同期移動通信網のサービス領域であるかを判断する第２ステップと、
前記第２ステップで非同期移動通信網のサービス領域である場合、前記無線送受信部の非同期モデムを活性化する第３ステップと、
前記非同期無線装置を介して前記非同期移動通信網のモバイルＩＰを獲得してデータサービスを行う第４ステップと、
前記第４ステップの実行中に非同期移動通信網の信号の強さにより同期移動通信網へのハンドオーバを行う第５ステップとを含むことを特徴とする、デュアルバンド／デュアルモードを支援する移動通信端末の制御方法。
【請求項２】
前記第１ステップを行う前の前記移動通信端末への初期電源投入時、前記移動通信端末は初期接続移動通信網を同期移動通信網に設定して接続するステップを含むことを特徴とする、請求項１に記載のデュアルバンド／デュアルモードを支援する移動通信端末の制御方法。
【請求項３】
前記第２ステップで非同期移動通信網のサービス領域ではない場合、同期移動通信網にモバイルＩＰを要請してデータ呼サービスを行うことを特徴とする、請求項１に記載のデュアルバンド／デュアルモードを支援する移動通信端末の制御方法。
【請求項４】
前記第５ステップは、非同期移動通信網の信号の強さが予め設定されたハンドオーバのための基準値以下であるかを判断するステップと、
前記信号の強さが前記基準値以下と判断される場合、予め設定された基準時間が経過する時まで待機するステップと、
前記基準時間が経過後に前記非同期移動通信網の信号の強さが前記基準値以下である場合、同期無線装置を活性化して同期移動通信網にハンドオーバを行うステップとを含むことを特徴とする、請求項１に記載のデュアルバンド／デュアルモードを支援する移動通信端末の制御方法。
【請求項５】
前記第５ステップは、非同期移動通信網の信号の強さが予め設定されたハンドオーバのための基準値以下であるかを判断するステップと、
前記信号の強さが前記基準値以下と判断される場合、予め設定された基準時間が経過する時まで前記信号の強さの平均を算出するステップと、
前記基準時間が経過後に前記非同期移動通信網の信号の強さの平均が予め設定された所定値以下である場合、同期無線装置を活性化して同期移動通信網にハンドオーバを行うステップとを含むことを特徴とする、請求項１に記載のデュアルバンド／デュアルモードを支援する移動通信端末の制御方法。
【請求項６】
前記第５ステップは、前記同期移動通信網へのハンドオーバの実行ステップ後に移動通信端末と非同期移動通信網との接続を解除するステップをさらに含むことを特徴とする、請求項４または請求項５に記載のデュアルバンド／デュアルモードを支援する移動通信端末の制御方法。
【請求項７】
前記第５ステップ以後、前記非同期無線装置の無線送受信部を介して前記非同期移動通信網の信号を測定して、前記移動通信端末が前記非同期領域に進入するかを確認する第６ステップと、
前記移動通信端末が前記非同期領域に進入する場合、前記第３ステップに進み、以後の過程を繰り返し行う第７ステップとをさらに含むことを特徴とする、請求項１に記載のデュアルバンド／デュアルモードを支援する移動通信端末の制御方法。
【請求項８】
電波送受信のためのアンテナと、前記アンテナを介して前記非同期移動通信網と非同期通信を行うための非同期無線装置と、前記アンテナを介して前記同期移動通信網と同期通信を行うために同期無線装置を備えて非同期移動通信網と同期移動通信網との無線通信を行うことができる移動通信端末と、モバイルＩＰ登録／管理のためのホームエージェントを含む非同期移動通信網および同期移動通信網とのデータ呼ハンドオーバ方法であって、
移動通信端末において、データ呼接続イベントが発生すれば、前記移動通信端末が前記非同期移動通信網を介してモバイルＩＰを登録し、データ呼サービスを受ける第１ステップと、
前記第１ステップの実行中に前記移動通信端末が非同期移動通信網と同期移動通信網との境界地域に進入するかを判断する第２ステップと、
前記第２ステップで移動通信端末が前記境界地域に進入すると判断すれば、非同期移動通信網の信号の強さにより同期移動通信網へのハンドオーバを判断する第３ステップと、
前記第３ステップでハンドオーバを行うと判断すれば、移動通信端末と同期移動通信網との間のデータ呼を設定してモバイルＩＰを登録する第４ステップと、
前記第４ステップで同期移動通信網におけるモバイルＩＰを登録した後に非同期移動通信網でサービスされたデータ呼を同期移動通信網にサービスを連係する第５ステップと、
前記第５ステップ後に移動通信端末と非同期移動通信網とのデータ呼を解除する第６ステップとを含むことを特徴とする、デュアルバンド／デュアルモードを支援する移動通信端末のデータ呼ハンドオーバ方法。
【請求項９】
前記第１ステップは、移動通信端末でデータ呼接続イベントが発生すれば、前記移動通信端末と前記非同期移動通信網との間のデータ呼を設定するステップと、前記移動通信端末が前記非同期移動通信網にモバイルＩＰ登録を要請するステップと、前記要請により前記非同期移動通信網がホームエージェントにモバイルＩＰの登録を要請して応答を受信するステップとを含むことを特徴とする、請求項８に記載のデュアルバンド／デュアルモードを支援する移動通信端末のデータ呼ハンドオーバ方法。
【請求項１０】
前記第４ステップは、前記移動通信端末と前記同期移動通信網との間のデータ呼を設定するステップと、前記移動通信端末が前記同期移動通信網にモバイルＩＰ登録を要請するステップと、前記要請によって前記同期移動通信網がホームエージェントにモバイルＩＰ登録を要請して応答を受信するステップとを含むことを特徴とする、請求項８に記載のデュアルバンド／デュアルモードを支援する移動通信端末のデータ呼ハンドオーバ方法。
【請求項１１】
前記第３ステップは、非同期移動通信網の信号の強さが予め設定されたハンドオーバのための基準値以下であるかを判断するステップと、
前記信号の強さが前記基準値以下と判断される場合、予め設定された基準時間が経過する時まで待機するステップとを含み、
前記基準時間の経過後に前記非同期移動通信網の信号の強さが前記基準値以下である場合にハンドオーバを行うと判断することを特徴とする、請求項８に記載のデュアルバンド／デュアルモードを支援する移動通信端末のデータ呼ハンドオーバ方法。
【請求項１２】
前記第３ステップは、非同期移動通信網の信号の強さが予め設定されたハンドオーバのための基準値以下であるかを判断するステップと、
前記信号の強さが前記基準値以下と判断される場合、予め設定された基準時間が経過する時まで前記信号の強さの平均を算出するステップとを含み、
前記基準時間の経過後に前記非同期移動通信網の信号の強さの平均が予め設定された所定値以下である場合、同期無線装置を活性化して同期移動通信網にハンドオーバを行うと判断することを特徴とする、請求項８に記載のデュアルバンド／デュアルモードを支援する移動通信端末のデータ呼ハンドオーバ方法。
【請求項１３】
電波送受信のためのアンテナと、前記アンテナを介して前記非同期移動通信網と非同期通信を行うための非同期無線装置と、前記アンテナを介して前記同期移動通信網と同期通信を行うための同期無線装置を備えて非同期移動通信網と同期移動通信網との無線通信を行うできる移動通信端末と、モバイルＩＰ登録／管理のためのホームエージェントを含む非同期移動通信網および同期移動通信網とのデータ呼ハンドオーバ方法であって、
移動通信端末において、データ呼接続イベントが発生すれば、前記移動通信端末が前記同期移動通信網を介してモバイルＩＰを登録し、データ呼サービスを受ける第１ステップと、
前記第１ステップの実行中に前記移動通信端末が非同期移動通信網と同期移動通信網との境界地域に進入するかを判断する第２ステップと、
前記第２ステップで移動通信端末が前記境界地域に進入すると判断すれば、同期移動通信網の信号の強さにより非同期移動通信網へのハンドオーバを判断する第３ステップと、
前記第３ステップでハンドオーバを行うと判断すれば、移動通信端末と非同期移動通信網との間のデータ呼を設定してモバイルＩＰを登録する第４ステップと、
前記第４ステップで非同期移動通信網におけるモバイルＩＰを登録した後に同期移動通信網でサービスされたデータ呼を非同期移動通信網にサービスを連係する第５ステップと、
前記第５ステップ後に移動通信端末と同期移動通信網のデータ呼を解除する第６ステップとを含むことを特徴とする、デュアルバンド／デュアルモードを支援する移動通信端末のデータ呼ハンドオーバ方法。
【請求項１４】
前記第１ステップは、移動通信端末でデータ呼接続イベントが発生すれば、前記移動通信端末と前記同期移動通信網との間のデータ呼を設定するステップと、前記移動通信端末が前記同期移動通信網にモバイルＩＰ登録を要請するステップと、前記要請により前記同期移動通信網がホームエージェントにモバイルＩＰの登録を要請して応答を受信するステップとを含むことを特徴とする、請求項１３に記載のデュアルバンド／デュアルモードを支援する移動通信端末のデータ呼ハンドオーバ方法。
【請求項１５】
前記第４ステップは、前記移動通信端末と前記非同期移動通信網との間のデータ呼を設定するステップと、前記移動通信端末が前記非同期移動通信網にモバイルＩＰ登録を要請するステップと、前記要請により前記非同期移動通信網がホームエージェントにモバイルＩＰ登録を要請して応答を受信するステップとを含むことを特徴とする、請求項１３に記載のデュアルバンド／デュアルモードを支援する移動通信端末のデータ呼ハンドオーバ方法。
【請求項１６】
前記第３ステップは、同期移動通信網の信号の強さが予め設定されたハンドオーバのための基準値以下であるかを判断するステップと、
前記信号の強さが前記基準値以下であると判断される場合、予め設定された基準時間が経過する時まで待機するステップとを含み、
前記基準時間の経過後に前記同期移動通信網の信号の強さが前記基準値以下である場合、ハンドオーバを行うと判断することを特徴とする、請求項１３に記載のデュアルバンド／デュアルモードを支援する移動通信端末のデータ呼ハンドオーバ方法。
【請求項１７】
前記第３ステップは、同期移動通信網の信号の強さが予め設定されたハンドオーバのための基準値以下であるかを判断するステップと、
前記信号の強さが前記基準値以下であると判断される場合、予め設定された基準時間が経過する時まで前記信号の強さの平均を算出するステップとを含み、
前記基準時間の経過後に前記同期移動通信網の信号の強さの平均が予め設定された所定値以下である場合、非同期無線装置を活性化して非同期移動通信網にハンドオーバを行うと判断することを特徴とする、請求項１３に記載のデュアルバンド／デュアルモードを支援する移動通信端末のデータ呼ハンドオーバ方法。
【発明の詳細な説明】
【技術分野】
【０００１】
本発明は、同期式移動通信網と非同期式移動通信網においてデータ呼の円滑なハンドオーバのためのデュアルバンド／デュアルモードを支援する移動通信端末の制御方法およびデータ呼ハンドオーバ方法に関するものである。
【背景技術】
【０００２】
移動通信技術の発展と通信網の進化により多様な形態の移動通信システムが開発されており、これによる移動通信システム間のグローバルローミング問題を解決するためにＩＭＴ−２０００システムが開発された。ＩＭＴ−２０００システムは、ＣＤＭＡ２０００基盤の同期方式システムとＷＣＤＭＡ基盤の非同期方式システムとに分けられている。
【０００３】
また、移動通信システム間のグローバルローミングを支援するために同期方式システムと非同期方式のシステムですべて利用可能な移動通信端末（ＤｕａｌＢａｎｄ  Ｄｕａｌ  Ｍｏｄｅ  Ｔｅｒｍｉｎａｌ；ＤＢＤＭ移動通信端末）が開発されており、このような移動通信端末を用いることによって、非同期方式システム領域および同期方式システム領域の各々においてそれぞれ異なった方式のサービスを用いることができる。
【０００４】
現在、非同期移動通信システムはサービス要求の多い地域を中心に構築中であり、これにより同期方式の移動通信システムはそのサービス領域が非同期方式システムのサービス領域を含む形態に進化するようになり、このような過程でユーザが非同期移動通信システムと同期移動通信システムとの間を相互移動する場合の連続的なサービス提供のために、システム間のハンドオーバが必要になる。
【０００５】
このような環境では、同期式と非同期式との間のローミング問題が最大の懸案として台頭しているが、従来にはデータ呼使用時の非同期移動通信網においてサービスを提供される移動通信端末が同期移動通信網（ｃｄｍａ２０００  ｌｘ／Ｅｖ−Ｄｏ）にハンドオーバを行う時、モデム初期化および初期呼設定、データ呼設定およびＭＩＰ登録時間などを考慮する場合、１０秒以上のデータ切断時間が発生して、正常なデータサービスが難しい問題点があった。
【発明の開示】
【発明が解決しようとする課題】
【０００６】
よって、上記のような問題点を解決するために、本発明は、デュアルバンド／デュアルモードを支援する移動通信端末を制御して、データ呼サービスを提供される移動通信端末のハンドオーバ時のデータ損失を防止することによって、データ呼の切れることなく円滑なハンドオーバが可能なデュアルバンド／デュアルモードを支援する移動通信端末の制御方法およびデータ呼ハンドオーバ方法を提供することにその目的がある。
【課題を解決するための手段】
【０００７】
上記のような目的を達成するための本発明に係るデュアルバンド／デュアルモードを支援する移動通信端末の制御方法は、データ呼接続命令が入力されれば前記非同期無線装置の無線送受信部を活性化する第１ステップと、前記活性化した非同期無線装置の無線送受信部を介して非同期移動通信網のサービス領域であるかを判断する第２ステップと、前記第２ステップで非同期移動通信網のサービス領域である場合、前記無線送受信部の非同期モデムを活性化する第３ステップと、前記非同期無線装置を介して前記非同期移動通信網のモバイルＩＰを獲得してデータサービスを行う第４ステップと、前記第４ステップの実行中に非同期移動通信網の信号の強さにより同期移動通信網へのハンドオーバを行う第５ステップとを含む。
【０００８】
また、本発明に係る非同期領域から同期領域へのデータ呼ハンドオーバ方法は、移動通信端末でデータ呼接続イベントが発生すれば、前記移動通信端末が前記非同期移動通信網を介してモバイルＩＰを登録し、データ呼サービスを受ける第１ステップと、前記第１ステップの実行中に前記移動通信端末が非同期移動通信網と同期移動通信網との境界地域に進入するかを判断する第２ステップと、前記第２ステップで移動通信端末が前記境界地域に進入すると判断すれば、非同期移動通信網の信号の強さにより同期移動通信網へのハンドオーバを判断する第３ステップと、前記第３ステップでハンドオーバを行うと判断すれば、移動通信端末と同期移動通信網との間のデータ呼を設定してモバイルＩＰを登録する第４ステップと、前記第４ステップで同期移動通信網におけるモバイルＩＰを登録した後非同期移動通信網でサービスされたデータ呼を同期移動通信網にサービスを連係する第５ステップと、前記第５ステップ後に移動通信端末と非同期移動通信網とのデータ呼を解除する第６ステップとを含む。
【０００９】
また、本発明による同期領域から非同期領域へのデータ呼ハンドオーバ方法は、移動通信端末でデータ呼接続イベントが発生すれば、前記移動通信端末が前記同期移動通信網を介してモバイルＩＰを登録し、データ呼サービスを受ける第１ステップと、前記第１ステップの実行中に前記移動通信端末が非同期移動通信網と同期移動通信網との境界地域に進入するかを判断する第２ステップと、前記第２ステップで移動通信端末が前記境界地域に進入すると判断すれば、同期移動通信網の信号の強さにより非同期移動通信網へのハンドオーバを判断する第３ステップと、前記第３ステップでハンドオーバを行うと判断すれば、移動通信端末と非同期移動通信網との間のデータ呼を設定してモバイルＩＰを登録する第４ステップと、前記第４ステップで非同期移動通信網へのモバイルＩＰを登録した後、同期移動通信網でサービスされたデータ呼を非同期移動通信網にサービスを連係する第５ステップと、前記第５ステップ後に移動通信端末と同期移動通信網のデータ呼を解除する第６ステップとを含む。
【発明を実施する最良の形態】
【００１０】
以下では、添付した図面を参照して、本発明を詳細に説明することにする。
【００１１】
図１は、本発明に適用される移動通信端末と移動通信網との接続関係を説明するためのブロック図である。
【００１２】
図１を参照すれば、非同期網のＷＣＤＭＡ網１００は、移動通信端末４００と無線通信を行う無線局１１０および前記無線局１１０を制御する無線局制御機（以下「ＲＮＣ」と称する）１２０と、前記ＲＮＣ１２０と接続されて移動通信端末４００の移動性を管理するサービングＧＰＲＳサービスノード（Ｓｅｒｖｉｎｇ  ＧＰＲＳ  Ｓｅｒｖｉｃｅ  Ｎｏｄｅ、以下「ＳＧＳＮ」と称する）１３０と、ＩＰデータコア網（以下「ＩＰＤＣＮ」と称する）１４０を介して前記パケットサービス制御およびパケットデータの伝達を行う中継装置である非同期通信網データサービス関門ノード（Ｇａｔｅｗａｙ  ＧＰＲＳ  Ｓｕｐｐｏｒｔｉｎｇ  Ｎｏｄｅ、以下「ＧＧＳＮ」と称する）１５０とを含む。
【００１３】
また、前記ＲＮＣ１２０には呼交換を行う交換機（以下「ＭＳＣ」と称する）１６０が接続され、前記ＭＳＣ１６０には加入者の位置情報を管理するためのホーム位置登録機（以下「ＨＬＲ」と称する）１７０が接続される。
【００１４】
一方、同期網のＣＤＭＡ２０００網２００は、移動通信端末４００と無線通信を行う基地局（以下「ＢＴＳ」と称する）２１０と、前記ＢＴＳ２１０を制御する基地局制御機（以下「ＢＳＣ」と称する）２２０と、前記ＢＳＣ２２０と接続されてパケットデータをサービスするパケットデータサービスノード（Ｐａｃｋｅｔ  Ｄａｔａ  Ｓｅｒｖｉｃｅ  Ｎｏｄｅ、以下「ＰＤＳＮ」と称する）２３０と、前記ＰＤＳＮ２３０に接続されてインターネット接続サービスを行うデータコアネットワーク（Ｄａｔａ  Ｃｏｒｅ  Ｎｅｔｗｏｒｋ、以下「ＤＣＮ」と称する）２４０と、前記ＢＳＣ２２０と接続されて交換を行う交換機（以下「ＭＳＣ」と称する）２５０とを含んで構成される。そして、前記ＭＳＣ２５０には加入者の位置情報を管理するためのホーム位置登録機（以下「ＨＬＲ」と称する）２６０が接続される。
【００１５】
また、前記ＩＰＤＣＮ１４０およびＤＣＮ２４０には認証サーバー（ＡＡＡ）３１０およびホームエージェント（以下「ＨＡ」と称する３２０）が接続される。
【００１６】
本実施形態において、前記同期網２００および非同期網１００は、それぞれ加入者情報と位置情報とを管理するためのＨＬＲ１７０，２６０を備えているが、１つのＨＬＲ（デュアルスタックホーム位置登録機）を用いて同期網２００および非同期網１００の加入者情報および位置情報を共有するようにすることもできる。
【００１７】
図２は、本発明に係るデュアルモード／デュアルバンド移動通信端末の構成を説明するためのブロック図である。
【００１８】
図２を参照すれば、本発明に係るデュアルモード／デュアルバンド移動通信端末４００は、同期式移動通信と非同期式移動通信のいずれも支援するためのもので、それぞれのプロトコルスタックを有するようになる。
【００１９】
このような本発明に係る移動通信端末４００は、大きく分けて同期移動通信網２００および非同期移動通信網１００との電波送受信のためのアンテナ４１０と、同期式通信のための同期無線装置４３０と、非同期式通信のための非同期無線装置４２０と、同期式および非同期式通信時の共通するリソースを提供するための共通モジュール４４０とを含む。
【００２０】
前記同期無線装置４３０は、無線送信のための同期無線送信部４３２と、無線受信のための同期無線受信部４３３と、同期モデム部４３４とを含み、前記同期無線送信部４３２および同期無線受信部４３３の一側はデュープレクサ４３１を介してアンテナ４１０と接続されて、他側は前記同期モデム部４３４と接続される。
【００２１】
また、非同期無線装置４２０もまた無線送信のための非同期無線送信部４２２と、無線受信のための非同期無線受信部４２３と、非同期モデム部４２４とを含み、前記非同期無線送信部４２２および非同期無線受信部４２３の一側はデュープレクサ４２１を介してアンテナ４１０と接続され、他側は非同期モデム部４２４と接続される。
【００２２】
前記本発明に係る移動通信端末４００は、非同期無線装置４２０および同期無線装置４３０のうちいずれか１つだけを活性化させたりまたは同時にすべてを活性化させることができ、ハンドオフによる電源消耗を最小化することができるように各無線装置の活性化を制御することができる。
【００２３】
本発明に適用される移動通信端末４００は、データ呼の利用中に同期領域から非同期領域に移動したり、非同期領域内で隣接する非同期セルに移動したり、非同期領域から同期領域に移動したりすることができ、本発明は前記それぞれの場合に対する移動通信端末の制御方法およびハンドオーバ方法を提示しようとする。
【００２４】
図３は、本発明の一実施形態に係るデュアルバンド／デュアルモード移動通信端末の制御方法を説明するためのフローチャートであって、移動通信端末が同期領域から非同期領域に移動する場合、そして、非同期領域から再び同期領域に移動する場合の制御方法を示す。
【００２５】
図３を参照すれば、移動通信端末４００に電源が印加（Ｓ１０）されれば、移動通信端末４００は同期無線装置４３０に電源の印加と初期化を行う（Ｓ２０）。これにより、同期モデム部４３４が活性化して通常的な位置登録手続き通して同期移動通信網２００に位置登録を行ってアイドルモードに進む（Ｓ３０）。
【００２６】
そして、ユーザからデータ呼（Ｄａｔａ  Ｃａｌｌ、例えば無線インターネット接続）接続命令（Ｓ４０）があれば、移動通信端末４００はデータ呼接続のために非同期無線装置４２０のＲＦを担当する非同期無線送信部および非同期無線受信部４２２，４２３に電源を印加して初期化を行う（Ｓ５０）。
【００２７】
ステップＳ５０実行後、移動通信端末４００は非同期無線装置４２０を介して受信される非同期移動通信網１００の信号の強さにより現在の移動通信端末４００の位置が非同期移動通信網１００のサービス領域内であるかを判断する（Ｓ６０）。
【００２８】
ステップＳ６０で移動通信端末４００の位置が非同期移動通信網１００のサービス領域内であると判断すれば、非同期無線装置４２０の非同期モデム部４２４に電源を印加して初期化させる（Ｓ７０）。
【００２９】
そして、同期無線装置４３０を非活性化し（Ｓ８０）、非同期無線装置４２０を介して非同期移動通信網１００とのＷＣＤＭＡ呼（エアーインターフェース）を設定する（Ｓ９０）。
【００３０】
これにより、移動通信端末４００は非同期移動通信網１００を介してＨＡ３２０からモバイルＩＰ（ＭＩＰ）を与えられ、データサービスを提供される（Ｓ１００）。
【００３１】
移動通信端末４００は、非同期移動通信網１００を介してデータサービスを提供される過程で持続的に非同期移動通信網１００の信号を測定して、移動通信端末４００が非同期移動通信網１００の領域を脱するかを判断する（Ｓ１１０）。
【００３２】
ステップＳ１１０で所定の基準にしたがって、移動通信端末４００の位置が非同期移動通信網１００の領域を脱すると判断すれば、現在非活性化されている同期無線装置４３０を活性化（Ｓ１２０）させる。そして、同期無線装置４３０を介して同期移動通信網２００とのＣＤＭＡ２０００データ呼を設定する（Ｓ１３０）。
【００３３】
これにより、移動通信端末４００は同期移動通信網２００を介してＨＡ３２０からモバイルＩＰ（ＭＩＰ）を与えられ、データサービスを提供される（Ｓ１４０）。
【００３４】
移動通信端末４００は、同期移動通信網２００を介してデータサービスを提供される過程で持続的に非同期移動通信網の信号を測定し、移動通信端末４００が非同期移動通信網１００のサービス領域に進入するかを判断する（Ｓ１５０）。
【００３５】
ステップＳ１５０で移動通信端末４００が非同期移動通信網１００の領域に進入すると判断すれば、前述したステップＳ７０を実行する。
【００３６】
本実施形態では、同期領域から非同期領域に移動した移動通信端末が再び同期領域に移動する場合、そして、このような移動通信端末が再び非同期領域に移動する場合に備えて、移動通信端末が非同期無線装置４２０を常にまたは周期的にオンにして、非同期移動通信システムから伝送される信号の強さを測定しなければならない。
【００３７】
図４は、本発明の他の実施形態に係るデュアルバンド／デュアルモード移動通信端末の制御方法を説明するためのフローチャートであって、移動通信端末が非同期領域から同期領域に移動して、これ以上非同期移動通信システムからの信号の強さを測定しない場合の制御方法を示す。すなわち、図４の実施形態は図３とは異なり、非同期移動通信網から同期移動通信網へのハンドオーバだけを支援する方法を説明するフローチャートである。
【００３８】
図４を参照すれば、移動通信端末４００に電源が印加（Ｓ２１０）されれば、移動通信端末４００は同期無線装置４３０に電源を印加し、初期化を行う（Ｓ２２０）。これにより、同期モデム部４３４が活性化して通常的な位置登録手続きを介して同期移動通信網２００に位置登録を行い、アイドルモードに進む（Ｓ２３０）。
【００３９】
そして、ユーザからデータ呼（Ｄａｔａ  Ｃａｌｌ、例えば無線インターネット接続）接続命令（Ｓ２４０）があれば、移動通信端末４００はデータ呼接続のために非同期無線装置４２０のＲＦを担当する非同期無線送信部および非同期無線受信部４２２，４２３に電源を印加して初期化を行う（Ｓ２５０）。
【００４０】
ステップＳ２５０を実行後、移動通信端末４００は非同期無線装置４２０を介して受信される非同期移動通信網１００の信号の強さにより現在の移動通信端末４００の位置が非同期移動通信網１００のサービス領域内であるかを判断する（Ｓ２６０）。
【００４１】
ステップＳ２６０で移動通信端末４００の位置が非同期移動通信網１００のサービス領域内であると判断すれば、非同期無線装置４２０の非同期モデム部４２４に電源を印加して初期化させる（Ｓ２７０）。
【００４２】
そして、同期無線装置４３０を非活性化して（Ｓ２８０）、非同期無線装置４２０を介して非同期移動通信網１００とのＷＣＤＭＡ呼（エアーインターフェース）を設定する（Ｓ２９０）。
【００４３】
これにより、移動通信端末４００は非同期移動通信網１００を介してＨＡ３２０からモバイルＩＰ（ＭＩＰ）を与えられてデータサービスを提供される（Ｓ３００）。
【００４４】
移動通信端末４００は、非同期移動通信網１００を介してデータサービスを提供される過程で持続的に非同期移動通信網１００の信号を測定して、移動通信端末４００が非同期移動通信網１００の領域を脱するかを判断する（Ｓ３１０）。
【００４５】
ステップＳ３１０で所定の基準にしたがって、移動通信端末４００の位置が非同期移動通信網１００の領域を脱すると判断すれば、現在非活性化されている同期無線装置４３０を活性化（Ｓ３２０）させる。そして、同期無線装置４３０を介して同期移動通信網２００とのＣＤＭＡ２０００データ呼を設定する（Ｓ３３０）。
【００４６】
これにより、移動通信端末４００は、同期移動通信網２００を介してＨＡ３２０からモバイルＩＰ（ＭＩＰ）を与えられ、データサービスを提供される（Ｓ３４０）。
【００４７】
本実施形態では、移動通信端末が非同期領域から同期領域に移動した場合には同期移動通信システムと接続してデータ呼を利用すればよいため、移動通信端末の非同期無線装置４２０を常にまたは周期的にオンにする必要がない。
【００４８】
図５Ａおよび５Ｂは移動通信端末が非同期領域から同期領域に移動する時のハンドオーバ概念を説明するための図面である。
【００４９】
図５を参照すれば、非同期移動通信網（ＷＣＤＭＡ）１００の信号が予め設定された同期網でハンドオーバ基準値以下になる時点（Ｔ１）でタイマーを作動して、基準時間（ΔＴ）が経過する時点（Ｔ２）で非同期移動通信網１００の信号の強さが前記基準値以下であれば、同期無線装置４３０を活性化させ、ハンドオフを実施する。
【００５０】
本実施形態では、前記基準時間（ΔＴ）が経過した時にも非同期移動通信網１００の信号の強さがハンドオーバ基準値以下になった場合にハンドオフを実施したが、前記基準時間（ΔＴ）の間の非同期移動通信網１００の信号の強さの平均値を算出し、算出された平均値が所定値以下になる時をハンドオフ実施時点に設定することもできる。
【００５１】
図６は、本発明の一実施形態に係る非同期移動通信網から同期移動通信網へのハンドオフ過程を説明するためのフローチャートである。
【００５２】
移動通信端末４００は非同期無線装置４２０を介して非同期移動通信網（ＷＣＤＭＡ、１００）とデータ呼を設定する（Ｓ４１０）。データ呼設定後移動通信端末４００は非同期移動通信網１００にモバイルＩＰ（ＭＩＰ）登録要請を行う（Ｓ４２１）。これにより、非同期移動通信網１００は、ＩＰＤＣＮ１４０に接続されたＨＡ３２０にモバイルＩＰ登録を要求する（Ｓ４２２）。
【００５３】
ステップＳ４２２のモバイルＩＰ要求によりＨＡ３２０は、該当移動通信端末４００に対するモバイルＩＰを登録し、それにともなう応答メッセージを非同期移動通信網１００に伝送する（Ｓ４２３）。非同期移動通信網１００は前記ＨＡ３２０からの応答を移動通信端末４００に伝送する（Ｓ４２４）。これにより、移動通信端末４００は、非同期移動通信網１００でのモバイルＩＰ（ＭＩＰ）を獲得してユーザが要請したデータを提供される（Ｓ４３０）。
【００５４】
一方、現在非同期移動通信網１００でデータサービスを提供されている移動通信端末４００が非同期移動通信網１００の領域から同期移動通信網２００の領域に移動（Ｓ４４０）するようになれば、すなわち各移動通信網１００，２００の境界地域に移動するようになれば前述した図５での説明のように非同期移動通信網から同期移動通信網へのハンドオーバを判断する。
【００５５】
前記条件にしたがって、非同期移動通信網１００から同期移動通信網２００にハンドオーバを行うと判断すれば、移動通信端末４００は同期無線装置４３０を介して同期移動通信網２００とデータ呼を設定する（Ｓ４５０）。
【００５６】
前記ステップＳ４５０において、移動通信端末４００と同期移動通信網２００とのデータ呼が設定されるとしても、ユーザ要請データは非同期移動通信網１００を介して提供される（Ｓ４６０）。
【００５７】
非同期移動通信網１００を介してユーザデータを提供される中で移動通信端末４００は同期移動通信網２００にモバイルＩＰ（ＭＩＰ）登録要請を行い（Ｓ４７１）、これにより、同期移動通信網２００はＤＣＮ２４０に接続されたＨＡ３２０にモバイルＩＰ登録を要求する（Ｓ４７２）。
【００５８】
ステップＳ４７２のモバイルＩＰ要求によりＨＡ３２０は該当移動通信端末４００に対するモバイルＩＰを登録して、それにともなう応答メッセージを同期移動通信網２００に伝送する（Ｓ４７３）。同期移動通信網２００は前記ＨＡ３２０からの応答を移動通信端末４００に伝送する（Ｓ４７４）。これにより、移動通信端末４００は同期移動通信網１００でのモバイルＩＰ（ＭＩＰ）を獲得して非同期移動通信網１００を介して提供されたデータを同期移動通信網２００を介して提供され得る（Ｓ４８０）。
【００５９】
そして、移動通信端末４００は、非同期移動通信網１００とのデータ呼を解除する（Ｓ４９０）。
【００６０】
図７Ａおよび７Ｂは、移動通信端末が同期領域から非同期領域に移動する時のハンドオーバ概念を説明するための図面である。
【００６１】
図７を参照すれば、同期移動通信網２００を用いたデータ呼通信中の非同期移動通信網（ＷＣＤＭＡ）１００の信号が予め設定された非同期網へのハンドオーバ基準値以上になる時点（Ｔ１）でタイマーを作動して基準時間（ΔＴ）が経過する時点（Ｔ２）で非同期移動通信網１００の信号の強さが前記基準値以上であれば非同期無線装置４２０を活性化させ、ハンドオフを実施する。
【００６２】
本実施形態では、前記基準時間（ΔＴ）が経過した時にも非同期移動通信網１００の信号の強さがハンドオーバ基準値以上になった場合にハンドオフを実施したが、前記基準時間（ΔＴ）の間の非同期移動通信網１００の信号の強さの平均値を算出し、算出された平均値が所定値以上になる時をハンドオフ実施時点に設定することもできる。
【００６３】
図８は、本発明の他の実施形態に係る同期移動通信網から非同期移動通信網へのハンドオフ過程を説明するためのフローチャートである。
【００６４】
移動通信端末４００は、同期無線装置４３０を介して同期移動通信網２００とデータ呼を設定する（Ｓ５１０）。データ呼設定後移動通信端末４００は同期移動通信網２００にモバイルＩＰ（ＭＩＰ）登録要請を行う（Ｓ５２１）。これにより、同期移動通信網２００はＤＣＮ２４０に接続されたＨＡ３２０にモバイルＩＰ登録を要求する（Ｓ５２２）。
【００６５】
ステップＳ５２２のモバイルＩＰ要求によりＨＡ３２０は、該当移動通信端末４００に対するモバイルＩＰを登録し、それにともなう応答メッセージを同期移動通信網２００に伝送する（Ｓ５２３）。同期移動通信網２００は前記ＨＡ３２０からの応答を移動通信端末４００に伝送する（Ｓ５２４）。これにより、移動通信端末４００は同期移動通信網２００でのモバイルＩＰ（ＭＩＰ）を獲得してユーザが要請したデータを提供され得る（Ｓ５３０）。
【００６６】
一方、現在同期移動通信網２００でデータサービスを提供されている移動通信端末４００が同期移動通信網２００の領域から非同期移動通信網１００の領域に移動（Ｓ５４０）するようになれば、すなわち移動通信端末４００が各移動通信網１００，２００の境界地域に移動するようになれば、前述した図７での説明のように同期移動通信網２００から非同期移動通信網１００へのハンドオーバを判断する。
【００６７】
前記条件にしたがって、同期移動通信網２００から非同期移動通信網１００にハンドオーバを行うと判断すれば、移動通信端末４００は非同期無線装置４２０を介して非同期移動通信網１００とデータ呼を設定する（Ｓ５５０）。
【００６８】
前記ステップＳ５５０で移動通信端末４００と非同期移動通信網１００とのデータ呼が設定されるとしても、ユーザ要請データは同期移動通信網２００を介して提供される（Ｓ５６０）。
【００６９】
同期移動通信網２００を介してユーザデータを提供される中で移動通信端末４００は非同期移動通信網１００にモバイルＩＰ（ＭＩＰ）登録要請を行う（Ｓ５７１）。これにより、非同期移動通信網１００はＩＰＤＣＮ１４０に接続されたＨＡ３２０にモバイルＩＰ登録を要求する（Ｓ５７２）。
【００７０】
ステップＳ５７２のモバイルＩＰ要求によりＨＡ３２０は該当移動通信端末４００に対するモバイルＩＰを登録し、それにともなう応答メッセージを非同期移動通信網１００に伝送する（Ｓ５７３）。非同期移動通信網１００は前記ＨＡ３２０からの応答を移動通信端末４００に伝送する（Ｓ５７４）。これにより、移動通信端末４００は、非同期移動通信網２００でのモバイルＩＰ（ＭＩＰ）を獲得して同期移動通信網２００を介して提供されたデータを非同期移動通信網１００を介して提供される（Ｓ５８０）。
【００７１】
そして、移動通信端末４００は同期移動通信網２００とのデータ呼を解除する（Ｓ５９０）。
【産業上の利用可能性】
【００７２】
上記のように本発明によれば、デュアルバンド／デュアルモードを支援する移動通信端末を用いてデータ呼サービスを提供される移動通信端末に対してハンドオーバ時のデータ損失を防止することによって、同期式移動通信網と非同期式移動通信網からデータ呼の切断のない円滑なハンドオーバが可能であるという効果がある。
【図面の簡単な説明】
【００７３】
【図１】本発明に適用される移動通信端末と移動通信網との接続関係を説明するためのブロック図である。
【図２】本発明に適用される移動通信端末の構成を説明するためのブロック図である。
【図３】本発明の一実施形態に係るデュアルバンド／デュアルモード移動通信端末の制御方法を説明するためのフローチャートである。
【図４】本発明の他の実施形態に係るデュアルバンド／デュアルモード移動通信端末の制御方法を説明するためのフローチャートである。
【図５Ａ】移動通信端末が非同期領域から同期領域に移動する時のハンドオーバ概念を説明するための図面である。
【図５Ｂ】移動通信端末が非同期領域から同期領域に移動する時のハンドオーバ概念を説明するための図面である。
【図６】本発明の一実施形態に係る非同期移動通信網から同期移動通信網へのハンドオフ過程を説明するためのフローチャートである。
【図７Ａ】移動通信端末が同期領域から非同期領域に移動する時のハンドオーバ概念を説明するための図面である。
【図７Ｂ】移動通信端末が同期領域から非同期領域に移動する時のハンドオーバ概念を説明するための図面である。
【図８】本発明の他の実施形態に係る同期移動通信網から非同期移動通信網へのハンドオフ過程を説明するためのフローチャートである。
【図１】
2008527778.tif 000003
【図２】
2008527778.tif 000004
【図３】
2008527778.tif 000005
【図４】
2008527778.tif 000006
【図５Ａ】
2008527778.tif 000007
【図５Ｂ】
2008527778.tif 000008
【図６】
2008527778.tif 000009
【図７Ａ】
2008527778.tif 000010
【図７Ｂ】
2008527778.tif 000011
【図８】
2008527778.tif 000012
【国際調査報告】
2008527778.tif 000013
2008527778.tif 000014